(57)【要約】      （修正有）【課題】アルミニウムバーと被覆材のみで設置が可能で、棟と屋根垂木、そして柱と屋根垂木とを連結する固定手段を構成して支持結束力を増加することができるようにした硬質フィルム温室屋根構造を提供する。【解決手段】棟１００と屋根垂木２００、そして柱６００と屋根垂木２００とを連結する固定手段を四角パイプ形態の固定具で構成し、それぞれを固定してその支持結束力を増加し、また天窓部３００と棟１００の連結端に密閉性を増加するために密閉ゴムを強制的に結合させ、天窓部３００の回転端の後段にストッパゴムを締結して軽量の天窓部３００が密閉性を増加して漏水を遮断する。【選択図】図３
2017012147.tif 000002
【特許請求の範囲】
【請求項１】
中央上側部に長さ方向に棟（１００）が設置され、棟（１００）を中心に屋根垂木（２００）が配列構成され、屋根垂木（２００）に硬質フィルム（７００）が設置される硬質フィルム温室屋根構造において、
上記棟（１００）を中心に屋根垂木（２００）に設置された硬質フィルム（７００）の開放部で構成された天窓部（３００）が構成され、上記屋根垂木（２００）を柱（６００）に固定するためのガター部（４００）を含んで構成され、
上記棟（１００）の両側に棟固定具（１１０）を構成し、棟（１００）を貫通して固定ボルト（１１１）で棟固定具（１１０）を棟（１００）に固定し、垂木固定ピース（１１２）で屋根垂木（２００）と上記棟固定具（１１０）とを固定し、
上記ガター部（４００）は柱（６００）の上端に構成されたガター固定部（６１０）に柱固定ボルト（４１１）によりガター（４１０）の下部が固定され、ガター（４１０）の上部は屋根垂木（２００）に結合固定されるが、ガター固定具（４２０）を構成して屋根垂木固定ピース（４２１）で屋根垂木（２００）に固定し、ガター固定ピース（４２２）でガター（４１０）に固定した構造からなり、
上記棟固定具（１１０）、ガター固定具（４２０）は四角パイプ形態の断面で構成され、上記棟固定具（１１０）は棟（１００）と屋根垂木（２００）を固定するための固定ボルト（１１１）、垂木固定ピース（１１２）の締結部が構成され、上記ガター固定具（４２０）はガター（４１０）と屋根垂木（２００）とを固定するためにガター固定ピース（４２２）、屋根垂木固定ピース（４２１）の締結部が構成されることを特徴とする硬質フィルム温室屋根構造。
【請求項２】
上記屋根垂木（２００）の上部には硬質フィルム（７００）を固定するための「Ｕ」字状の固定ピースガイド（２１０）が構成され、
固定ピースガイド（２１０）の上部に硬質フィルム（７００）を屋根垂木カバー（２２０）で覆い、上記固定ピースガイド（２１０）にカバー固定ピース（２１１）を固定して硬質フィルム（７００）を固定する構造からなり、
上記天窓部（３００）は上部に硬質フィルム（７００）を固定させるための「Ｕ」字状の固定ピースガイド（３１１）が構成される天窓垂木（３１０）が構成され、上記固定ピースガイド（３１１）の上部に硬質フィルム（７００）を天窓垂木カバー（３２０）で覆い、上記固定ピースガイド（３１１）にカバー固定ピース（３１２）を固定して硬質フィルム（７００）を固定する構造からなることを特徴とする請求項１に記載の硬質フィルム温室屋根構造。
【請求項３】
上記天窓部（３００）の天窓垂木（３１０）は棟（１００）にヒンジ結合構造からなる開閉上バー（３３０）と屋根垂木（２００）端に密着される開閉下バー（３４０）とが構成され、上記開閉上バー（３３０）と棟（１００）の間の露出空間に漏水を遮断するための天窓密閉ゴム（３５０）を強制的に結合して構成し、天窓部（３００）の両末端に天窓密閉及びストッパゴム（３６０）を構成し、ストッパ固定ピース（３６１）で棟（１００）で固定して、天窓部（３００）の左右裕隔を遮断し、漏水を遮断する構造からことを特徴とする請求項１に記載の硬質フィルム温室屋根構造。
【請求項４】
上記ガター（４１０）の上端に「Ｕ」字状の固定ピースガイド（４１２）を構成し、屋根垂木（２００）に固定される硬質フィルム（７００）を固定するガターカバー（４３０）をカバ固定ピース（４３１）で固定する構造からなり、上記ガター（４１０）の上部、下部の内部の中空部にガター連結ピン（４４０）を構成して支持力を増加する構造からなることを特徴とする請求項１に記載の硬質フィルム温室屋根構造。
【請求項５】
上記屋根垂木（２００）の両側部には結露水をガター部（４００）まで案内する結露ガイド溝（２３０）が構成され、
上記ガター（４１０）は屋根垂木（２００）の結露水ガイド溝（２３０）と連結される位置に結露水収集部（４１３）が構成され、結露水収集部（４１３）端には結露水を排出するための結露水排出口（４１４）を含んで構成されることを特徴とする請求項１または４に記載の硬質フィルム温室屋根構造。
【請求項６】
上記棟（１００）とガター部（４００）とを連結して結束するためのワイヤーブレッシング部（５００）を含んで構成されることを特徴とする請求項１に記載の硬質フィルム温室屋根構造。
【請求項７】
上記ワイヤーブレッシング部（５００）は棟（１００）の下端にブレシング固定ボルト（５２０）で固定される棟ブレシング固定具（５１０）と、ガター部（４００）が固定される柱（６００）のガター固定部（６１０）に固定されるガターブレシング固定具（５２０）とを構成し、ガターブレシング固定具（５２０）と棟ブレシング固定具（５１０）とをワイヤーブレシング（５３０）で連結するが、ターンバックル（５４０）で連結して構成することを特徴とする請求項６に記載の硬質フィルム温室屋根構造。
【請求項８】
上記屋根垂木（２００）の屋根垂木カバー（２２０）の形状は、左、右導出延長部があって硬質フィルム（７００）を固定する際に平たいフィルムをカバー固定ピース（２１１）で締結する時導出延長部がフィルムを引っ張って引張效果でフィルムを弾性的に固定することを特徴とする請求項１または２に記載の硬質フィルム温室屋根構造。
【発明の詳細な説明】
【技術分野】
【０００１】
本発明は硬質フィルム温室の屋根構造の設計において、より詳しくは、アルミニウムバーと被覆材だけで設置が可能にしたもので、棟と屋根垂木、そして柱と屋根垂木とを連結する固定手段を構成して、支持結束力を増加させることができるようにした硬質フィルム温室屋根構造に関するものである。
【背景技術】
【０００２】
一般に、天気の寒い冬に各種農作物や花などを栽培することができるようにする硬質フィルム温室は被覆材が硬質であることから、構造費用の軽減、日射量の増大などたくさんの長所があるが、硬質フィルム自体が温室内で突風や壁部の破損で風が屋根部を吹き上げることで、施設の農家では硬質フィルム温室の設置を忌避していた。
【０００３】
このように、硬質フィルム温室は硝子温室と違って軽量被覆材を利用しているため、屋根部を構成するにおいて鉄材をトラス形態に製作し、トラスの上にトラスの直角方向にＣ形鋼やパイプを固定し、その上にアルミニウム垂木部材と棟などを固定して被覆した。
【０００４】
そのため、その構造が複雑になり、取付費用が増加するしかない。
【発明の概要】
【発明が解決しようとする課題】
【０００５】
本発明は自重の重い硝子温室のように、アルミニウムバーと被覆材だけで設置することができるようにした屋根構造を提案し、棟と屋根垂木、そして柱と屋根垂木とを連結する固定手段を四角パイプ形態の固定具で構成し、それぞれを固定して、その支持結束力を増加させて外部から作用する力に耐えることができるようにした硬質フィルム温室屋根構造を提供することにその目的がある。
【０００６】
また、本発明は天窓部と棟の連結端に密閉性を増加させるために、密閉ゴムを強制的に結合させ、天窓部の回転端の後段にストッパゴムを締結して軽量の天窓部が密閉性を増加して、漏水を遮断するようにした硬質フィルム温室屋根構造を提供することにその目的がある。
【課題を解決するための手段】
【０００７】
本発明の硬質フィルム温室屋根構造は、中央上側部に長さ方向に棟が設置され、棟を中心に屋根垂木が配列構成され、屋根垂木に硬質フィルムが設置される硬質フィルム温室屋根構造において、上記棟を中心に屋根垂木に設置された硬質フィルムの開放部で構成された天窓部が構成され、上記屋根垂木を柱に固定させるためのガター部と、上記棟とガター部とを連結して結束させるためのワイヤーブレッシング部とを含んで構成され、上記棟の両側に棟固定具を構成し、棟を貫通して固定ボルトで棟固定具を棟に固定し、垂木固定ピースで屋根垂木と上記棟固定具を固定させ、
上記ガター部は柱の上端に構成されたガター固定部に柱固定ボルトによりガターの下部が固定され、ガターの上部は屋根垂木２００に結合固定されるが、ガター固定具を構成して屋根垂木固定ピースで屋根垂木に固定し、ガター固定ピースでガターに固定した構造からなることを特徴とする。
【０００８】
また、本発明は、上記屋根垂木の上部には硬質フィルムを固定させるための「Ｕ」字状の固定ピースガイドが構成され、固定ピースガイドの上部に硬質フィルムを屋根垂木カバーで覆って上記固定ピースガイドにカバー固定ピースを固定して硬質フィルムを固定させる構造からなり、上記天窓部は上部に硬質フィルムを固定させるための「Ｕ」字状の固定ピースガイドが構成される天窓垂木が構成され、上記固定ピースガイドの上部に硬質フィルムを天窓垂木カバーで覆って上記固定ピースガイドにカバー固定ピースを固定させて硬質フィルムを固定させる構造からなることを特徴とする。
【０００９】
また、上記天窓垂木３１０は棟１００にヒンジ結合構造からなる開閉上バー３３０と屋根垂木２００端に密着される開閉下バー３４０とが構成され、上記開閉上バー３３０と棟１００の間の露出空間に漏水を遮断するための天窓密閉ゴム３５０を強制的に結合し、天窓部３００の両末端に天窓密閉及びストッパゴム３６０を構成し、ストッパ固定ピース３６１で棟１００に固定して天窓部３００の左右裕隔を遮断して漏水を遮断する構造からなることを特徴とする。
【発明の効果】
【００１０】
このような本発明によれば、棟と屋根垂木を棟固定具で固定し、屋根垂木とガターをガター固定具で固定して支持結束力を増加させて突風や壁部の破損で風が屋根部を吹き上げる現象を防止することができる。
【００１１】
また、本発明は天窓部を構成するにおいて、天窓部と棟の連結端に密閉性を増加させるために、密閉ゴムを強制的に結合させ、天窓部の回転端の後段にストッパゴムを締結することで、風により軽量の天窓が吹き上がることを防止し、密閉性を増加させて漏水を遮断することができる。
【図面の簡単な説明】
【００１２】
【図１】本発明の硬質フィルム温室屋根構造の屋根平面を示した図面である。
【図２】本発明において、屋根の左側面を示した図面である。
【図３】本発明において、屋根の断面を示した図面である。
【図４】本発明において、天窓部を詳細に示した図面である。
【図５】本発明において、天窓部の開閉状態を示した図面である。
【図６】本発明において、ガター部を詳細に示した図面である。
【図７】本発明において、ガター部とワイヤーブレッシング部を示した図面である。
【図８】本発明において、屋根垂木カバーの側面を示した図面である。
【図９】本発明において、屋根垂木カバーの平面を示した図面である。
【図１０】本発明において、棟固定具の斜視図である。
【発明を実施するための形態】
【００１３】
本発明の硬質フィルム温室屋根構造を添付された図１〜図１０に示した実施例を参照して、その構成及び作用を説明する次の通りである。
【００１４】
本発明の硬質フィルム温室屋根構造は、中央上側部に長さ方向に棟１００が設置され、棟１００を中心に屋根垂木２００が配列構成され、屋根垂木２００に硬質フィルム７００が設置され、棟１００を中心に屋根垂木２００に設置された硬質フィルム７００の開放部で構成された天窓部３００が構成され、上記屋根垂木２００を柱６００に固定させるためのガター部４００と、棟１００とガター部４００とを連結して結束するためのワイヤーブレッシング部５００とを含んで構成され、
棟１００の両側に棟固定具１１０を構成し、棟１００を貫通して固定ボルト１１１で棟固定具１１０を棟１００に固定し、垂木固定ピース１１２で屋根垂木２００と上記棟固定具１１０とを固定して、棟１００と屋根垂木２００との結合を堅固にし、
上記屋根垂木２００の上部には硬質フィルム７００を固定させるための「Ｕ」字状の固定ピースガイド２１０が構成され、固定ピースガイド２１０の上部に硬質フィルム７００を屋根垂木カバー２２０で覆い、上記固定ピースガイド２１０にカバー固定ピース２１１を固定して硬質フィルム７００を固定する構造からなり、屋根垂木２００の両側部には結露水をガター部４００まで案内する結露ガイド溝２３０が構成され、
上記天窓部３００は上部に硬質フィルム７００を固定するための「Ｕ」字状の固定ピースガイド３１１が構成される天窓垂木３１０が構成され、上記固定ピースガイド３１１の上部に硬質フィルム７００を天窓垂木カバー３２０で覆い、上記固定ピースガイド３１１にカバー固定ピース３１２を固定して硬質フィルム７００を固定する構造からなり、
上記天窓垂木３１０は棟１００にヒンジ結合構造からなる開閉上バー３３０と屋根垂木２００端に密着される開閉下バー３４０とが構成され、上記開閉上バー３３０と棟１００の間の露出空間に漏水を遮断するための天窓密閉ゴム３５０を構成し、天窓部３００の両末端に天窓密閉及びストッパゴム３６０を構成し、ストッパ固定ピース３６１で棟１００に固定して天窓部３００の左右裕隔を遮断して漏水を遮断する構造からなる。
【００１５】
上記ガター部４００は柱６００の上端に構成されたガター固定部６１０に柱固定ボルト４１１によりガター４１０の下部が固定され、ガター４１０の上部は屋根垂木２００に結合固定され、ガター固定具４２０を構成して屋根垂木固定ピース４２１で屋根垂木２００に固定し、ガター固定ピース４２２でガター４１０に固定して締結力を倍加した構造からなり、
上記ガター４１０の上端には固定ピースガイド４１２を構成し、屋根垂木２００に固定される硬質フィルム７００を固定するガターカバー４３０をカバー固定ピース４３１で固定する構造からなり、上記ガター４１０の上部、下部の内部の中空部にガター連結ピン４４０を構成して支持力を増加する構造からなる。
【００１６】
また、上記ガター４１０は屋根垂木２００の結露水ガイド溝２３０と連結される位置に結露水収集部４１３が構成され、結露水収集部４１３端には結露水を排出するための結露水排出口４１４を含んで構成される
上記ワイヤーブレッシング部５００は棟１００の下端にブレシング固定ボルト５２０で固定される棟ブレシング固定具５１０と、柱６００のガター固定部６１０に固定されるガターブレシング固定具５２０を構成し、ガターブレシング固定具５２０と棟ブレシング固定具５１０とをワイヤーブレシング５３０で連結するが、ターンバックル５４０で連結して構成する。
【００１７】
このような本発明の硬質フィルム温室屋根構造は、
ａ．四角パイプ形態の棟固定具及びガター固定具を利用して棟と屋根垂木、屋根垂木とガターとを結合固定して締結力を倍加し、
ｂ．天窓部が軽量で自重がないため密閉性に問題が発生することがあるが、天窓密閉ゴム、天窓密閉及びストッパゴムを構成して天窓部の密閉を完成して漏水を防止しようとして、
ｃ．棟とガターとを連結するワイヤーブレッシング部を構成して、屋根部が左右に揺れることなく堅固に設置されることができるようにして、左右、上下屋根部の被覆材の遊動を遮断するようにすることをその技術的特徴とする。
【００１８】
柱６００と柱６００との間に棟１００を中心に複数の屋根垂木２００が構成され、その上部に被覆材である硬質フィルム７００を被せる。
【００１９】
図１及び図２に示すように、一部が開放され、その開放部に天窓部３００が構成される。
【００２０】
図１は屋根の平面図であり、図２は屋根の左側面図を示す。
【００２１】
硝子温室のように、クリップで棟と屋根垂木２００との締結を行うことができないことから、棟１００と屋根垂木２００との締結を強力にするために棟固定具１１０を構成する。
【００２２】
図４に示すように、棟１００を貫通して両側に棟固定具１１０を固定ボルト１１１で固定し、垂木固定ピース１１２で屋根垂木２００に棟固定具１１０を固定させる。
【００２３】
上記棟固定具１１０は、図１０に示すように、四角パイプ形態の断面で構成され、屋根垂木２００を一緒に固定してその締結力を倍加する作用をする。
【００２４】
上記屋根垂木２００はアルミニウム部材で構成され、その上部には「Ｕ」字状の固定ピースガイド２１０が構成される。上記固定ピースガイド２１０はカバー固定ピース２１１を結合するための手段である。
【００２５】
上記固定ピースガイド２１０の上部に硬質フィルム７００が被せられ、屋根垂木カバー２２０を覆い、上記固定ピースガイド２１０にカバー固定ピース２１１を固定して硬質フィルム７００を固定する構造からなる。
【００２６】
図８及び図９に示すように、所定間隔に孔が形成された屋根垂木カバー２２０の上にカバー固定ピース２１１を４面に硬質フィルム７００を固定する。
【００２７】
ここで、上記屋根垂木２００の屋根垂木カバー２２０の左右に導出延長部を構成することができる。これは硬質フィルム７００を固定する際に平たいフィルムをカバー固定ピース２１１で締結する時、導出延長部がフィルムを引っ張って引張效果でフィルムを弾性的に固定することができるようにするためである。
【００２８】
上記屋根垂木２００の両側部に構成される結露ガイド溝２３０はガター部４００の結露水収集部４１３に連結され、屋根垂木２００及び硬質フィルム５００に発生された結露水をガター部４００に案内する手段である。
【００２９】
上記天窓部３００の天窓垂木３１０も屋根垂木のようにアルミニウム部材で構成され、上部に構成される「Ｕ」字状の上記固定ピースガイド３１１にカバー固定ピース３１２を結合して天窓部３００の硬質フィルム７００を結合する。
【００３０】
上記のように、屋根垂木２００、天窓垂木３１０に固定ピースガイド２１０、３１１を通じて垂木固定ピース１１２、カバー固定ピース３１２を締結して固定フィルム７００を締結することにより、屋根上で簡単に作業をすることができる。
【００３１】
上記天窓垂木３１０の開閉上バー３３０が棟１００にヒンジ結合され、開閉下バー３４０を持ち上げる構造からなる。
【００３２】
この時、天窓部３００が軽量で自重がないため密閉性に問題があったが、上記開閉上バー３３０と棟１００の間の露出空間に天窓密閉ゴム３５０を強制的に組立てて漏水を遮断する。
【００３３】
また、天窓部３００の両末端に天窓密閉及びストッパゴム３６０を構成し、ストッパ固定ピース３６１で棟１００に固定して天窓部３００の左右裕隔を遮断し、天窓密閉及びストッパゴム３６０を利用して、図９のように固定して完全密閉をして漏水を遮断する構造からなることによって、天窓部３００が開かれた時、外部の風により天窓部３００が左右に押される現象を防止することができる。
【００３４】
上記ガター部４００は屋根垂木２００を柱６００に固定させる手段で、柱６００のガター固定部６１０に柱固定ボルト４１１により固定される。
【００３５】
上記ガター４１０の上部はガター固定具４２０を利用して屋根垂木２００に結合固定される。
【００３６】
上記ガター固定具４２０は屋根垂木固定ピース４２１で屋根垂木２００に固定し、ガター固定ピース４２２でガター４１０に固定して締結力を倍加した構造からなる。
【００３７】
上記ガター４１０の固定ピースガイド４１２に屋根垂木２００に固定される硬質フィルム７００をカバー固定ピース４３１で固定する。
【００３８】
この時、ガター４１０を屋根垂木２００と柱６００に固定する時、ガター連結ピン４４０をガター４１０の上部、下部の内部の中空部に構成して支持力を増加させて、積雪、台風に耐えることができる構造を提供する。
【００３９】
上記ガター固定具４２０も上記棟固定具１１０のように四角パイプ形態の断面で構成して、結合する時の締結力を倍加することができる。
【００４０】
上記ガター４１０は結露水収集部４１３が構成され、上記結露水収集部４１３は上記屋根垂木２００の結露水ガイド溝２３０と連結されて、上記結露水ガイド溝２３０に沿って流入される結露水を集める手段であり、外部に排出するための結露水排出口４１４が構成される。
【００４１】
上記ワイヤーブレッシング部５００は棟１００とガター部４００とを連結する手段で、棟ブレシング固定具５１０と、ガターブレシング固定具５２０を利用して棟１００とガター４１０に連結され、図７に示すように、上記ガターブレシング固定具５２０はガター固定部６１０に柱固定ボルト４１１で一緒に固定することができる。
【００４２】
そして、ガターブレシング固定具５２０と棟ブレシング固定具５１０とをワイヤーブレシング５３０で連結するが、ターンバックル（ｔｕｒｎ  ｂｕｌｋｌｅ）５４０で連結して、ワイヤーブレシング５３０の張力を調節することができるように構成することができる。
【００４３】
図１に示すようにワイヤーブレッシング部５００を「Ｘ」字状に構成して、屋根が左、右に揺れることなく堅固に設置されることができるようにして、左右、上下屋根の被覆材の遊動を防止することができる。
【図１】
2017012147.tif 000003
【図２】
2017012147.tif 000004
【図３】
2017012147.tif 000005
【図４】
2017012147.tif 000006
【図５】
2017012147.tif 000007
【図６】
2017012147.tif 000008
【図７】
2017012147.tif 000009
【図８】
2017012147.tif 000010
【図９】
2017012147.tif 000011
【図１０】
2017012147.tif 000012